(57)【要約】  本発明は一般に衣料、特に通気構造を有する衣服、および該通気構造の使用方法に関する。【選択図】      図１３
2008511767.tif 000002
【特許請求の範囲】
【請求項１】
内部領域を画定するとともに該内部領域と連通する通気構造を含む外側層を含むシェルであって、前記通気構造と実質的に同質の通気性素材を含み、前記通気性素材が、当該シェルの前記通気構造に近接した部分とは異なる通気性を有する、シェルと、
前記シェル内に配置されているとともに前記通気構造に対して第１の位置および第２の位置に選択的に配置可能である可動パネルであって、前記第１の位置において前記通気構造と実質的に位置合わせされ、前記第２の位置において前記通気構造から実質的にずれている、可動パネルと、
アクチュエータであって、当該アクチュエータの操作によって前記パネルが前記第１の位置から前記第２の位置に移動するように、前記可動パネルに結合されている、アクチュエータと
を備える衣服。
【請求項２】
前記アクチュエータが、前記シェルを通って前記内部領域から前記シェルの外側へと延在している、請求項１に記載の衣服。
【請求項３】
前記アクチュエータが、前記シェルを通って前記内部領域から前記シェルの外側へと延在し、前記シェルが孔を含み、前記アクチュエータが前記孔を通って延在している、請求項１に記載の衣服。
【請求項４】
前記シェルが、内側層と、前記外側層に配置される孔とを含み、前記可動パネルが前記外側層と前記内側層との間に配置され、前記アクチュエータが前記孔を通って前記シェルの外側に延在している、請求項１に記載の衣服。
【請求項５】
前記シェルが内側層を含み、前記可動パネルが、前記外側層と前記内側層との間に配置される、請求項１に記載の衣服。
【請求項６】
前記アクチュエータが第１のアクチュエータであり、
前記可動パネルに結合されている第２のアクチュエータであって、該第２のアクチュエータの操作によって前記可動パネルが前記第２の位置から前記第１の位置に移動する、第２のアクチュエータ
をさらに備える、請求項１に記載の衣服。
【請求項７】
前記アクチュエータが第１のアクチュエータであり、
前記可動パネルに結合されている第２のアクチュエータであって、該第２のアクチュエータの操作によって前記可動パネルが前記第２の位置から前記第１の位置に移動し、前記可動パネルが、第１の部分および第２の部分を有する周縁を含み、前記第１の部分が前記第２の部分と反対側であり、前記第１のアクチュエータが前記第１の周縁部分に結合され、前記第２のアクチュエータが前記第２の周縁部分に結合されている、第２のアクチュエータ
をさらに備える、請求項１に記載の衣服。
【請求項８】
前記アクチュエータに結合されるとともに前記シェルに結合されているリトラクタであって、前記アクチュエータを前記シェルに対して内側に付勢するように弾性特性を有する、リトラクタ
をさらに備える、請求項１に記載の衣服。
【請求項９】
リトラクタであって、前記アクチュエータを前記シェルに対して内側に付勢するように弾性特性を有し、第１の端部および第２の端部を含み、前記第１の端部が前記アクチュエータに結合され、前記第２の端部が前記シェルに結合されている、リトラクタ
をさらに備える、請求項１に記載の衣服。
【請求項１０】
前記シェルが前側部分および後側部分を含み、前記後側部分が前記通気構造を含む、請求項１に記載の衣服。
【請求項１１】
前記通気構造が第１の通気構造であり、前記シェルが、前側部分、後側部分および第２の通気構造を含み、前記後側部分が前記第１の通気構造を含み、前記前側部分が前記第２の通気構造を含む、請求項１に記載の衣服。
【請求項１２】
前記通気構造が第１の通気構造であり、前記可動パネルが第１の可動パネルであり、前記シェルが、前側部分、後側部分および第２の通気構造を含み、前記後側部分が前記第１の通気構造を含み、前記前側部分が前記第２の通気構造を含み、前記第１の可動パネルが前記第１の通気構造に近接して配置可能であり、前記衣服が、
前記第２の通気構造に近接して配置可能な第２の可動パネルと、
前記第２の可動パネルに結合される第３のアクチュエータであって、前記第２の可動パネルを、前記第２の通気構造と実質的に位置合わせされたその第１の位置から、前記第２の通気構造から実質的にずれたその第２の位置へと移動させるように操作可能である、第３のアクチュエータと、
前記第２の可動パネルに結合される第４のアクチュエータであって、前記第２の可動パネルをその第２の位置からその第１の位置へと移動させるように操作可能である、第４のアクチュエータと
をさらに備える、請求項１に記載の衣服。
【請求項１３】
前記シェルが、胴体領域と、該胴体領域の一部に沿って配置されるメッシュパネルとを含み、前記通気性素材の通気性が、前記メッシュパネルの通気性と異なっている、請求項１に記載の衣服。
【請求項１４】
前記シェルが肩領域を含み、前記アクチュエータの一部が前記肩領域を通っている、請求項１に記載の衣服。
【請求項１５】
前記シェルが肩領域を含み、前記アクチュエータの一部が前記肩領域を通っており、案内構造が前記シェルに結合されるとともに前記肩領域に近接して配置され、前記アクチュエータが前記案内構造に摺動可能に係合している、請求項１に記載の衣服。
【請求項１６】
自身の内部領域を画定するとともに該内部領域と連通する空気流開口を含む胴体領域を有するシェルと、
可動パネルであって、前記空気流開口を通って前記内部領域を出入りする空気を減少させる第１の位置と、前記空気流開口を通って前記内部領域を出入りする空気を許容する第２の位置とで選択的に位置決め可能である、可動パネルと、
前記可動パネルに結合される第１のアクチュエータ部分であって、前記空気流開口に対して第１の方向に前記可動パネルを移動させるように操作可能である、第１のアクチュエータ部分と、
前記可動パネルに結合される第２のアクチュエータ部分であって、前記空気流開口に対して、前記第１の方向とは異なる第２の方向に前記可動パネルを移動させるように操作可能である、第２のアクチュエータ部分と
を備える衣服。
【請求項１７】
前記シェルが肩領域を含み、前記第２のアクチュエータ部分の部分が前記肩領域を通って延在している、請求項１６に記載の衣服。
【請求項１８】
前記胴体領域が前側部分および後側部分を含み、前記後側部分が外側層および内側層を含み、前記後側部分が前記空気流開口を含み、そして前記可動パネルが前記外側層と前記内側層との間に配置される、請求項１６に記載の衣服。
【請求項１９】
前記シェルが、肩領域と、該肩領域と反対側の下側端部とを含み、前記可動パネルが、前記第１の方向に沿って移動するときは前記肩領域に向かって移動し、前記第２の方向に沿って移動するときは前記下側端部に向かって移動する、請求項１６に記載の衣服。
【請求項２０】
前記可動パネルが第１の可動パネルであり、前記空気流開口が第１の空気流開口であり、前記胴体領域が前側部分および後側部分を含み、前記後側部分が第１の空気流開口を含み、前記前側部分が第２の空気流開口を含み、前記衣服が、
第２の可動パネルであって、前記第２の空気流開口を通って前記内部領域を出入りする空気を減少させるその第１の位置と、前記第２の空気流開口を通って前記内部領域を出入りする空気を許容するその第２の位置とで選択的に位置決め可能である、第２の可動パネルと、
前記第２の可動パネルに結合される第３のアクチュエータ部分であって、前記第２の空気流開口に対してその第１の方向に前記第２の可動パネルを移動させるように操作可能である、第３のアクチュエータ部分と、
前記第２の可動パネルに結合される第４のアクチュエータ部分であって、前記第２の空気流開口に対して、その第２の方向に前記第２の可動パネルを移動させるように操作可能であり、前記第１の可動パネルの第１の方向が、前記第２の可動パネルの第１の方向と反対側であり、前記第１の可動パネルの第２の方向が、前記第２の可動パネルの第２の方向と反対側である、第４のアクチュエータ部分と
をさらに備える、請求項１７に記載の衣服。
【請求項２１】
通気開口を含む外側層と、内側層とを含むシェルを提供する工程と、
アクチュエータを可動パネルに結合する工程と、
前記外側層と前記内側層との間に可動パネルを配置する工程であって、前記可動パネルが、前記通気開口と実質的に位置合わせされて配置される、工程と、
前記アクチュエータの一部を、前記シェルを通して配置する工程と
を含む、衣服の製造方法。
【請求項２２】
内側層および外側層を有するシェルであって、前記内側層が第１の領域を有し、前記外側層がその第１の領域およびその第２の領域を有し、前記内側層および前記外側層が、前記内側層の第１の領域の少なくとも一部が前記外側層の第１の領域の少なくとも一部と実質的に位置合わせされるように配置され、前記外側層の第１の領域の通気性が、前記外側層の第２の領域の通気性より高い、シェルと、
前記シェルの内側層と前記シェルの外側層との間に配置されるパネルであって、前記シェルの内側層と前記シェルの外側層との間の可動域を通って移動可能であり、前記パネルの通気性が、前記内側層の第１の領域の通気性および前記外側層の第１の領域の通気性のうちの少なくとも一方より低い、パネルと
を備える衣服。
【請求項２３】
前記パネルに結合されるアクチュエータであって、前記シェルの内側層と前記シェルの外側層との間のその可動域に沿って前記パネルを移動させるように構成される、アクチュエータ
をさらに備える、請求項２２に記載の衣服。
【請求項２４】
前記パネルの可動域が、第１の位置と、該第１の位置と異なる第２の位置とを含み、前記パネルが、前記第１の位置に配置されているときは、前記シェルの外側層の第１の領域の少なくとも一部と実質的に位置合わせされ、前記パネルが、前記第２の位置に配置されているときは、前記シェルの外側層の第１の領域と実質的にずらされている、請求項２２に記載の衣服。
【請求項２５】
内側層、外側層、第１の側部および該第１の側部と反対側の第２の側部を有するシェルと、
第１の端部および該第１の端部と反対側の第２の端部を有するパネルであって、前記シェルの第１の側部の内側層と、前記シェルの第１の側部の外側層との間に移動可能に配置されている、パネルと、
第１の端部および第２の端部を有する第１のアクチュエータであって、該第１のアクチュエータの第１の端部が、前記パネルの第１の端部に結合され、該第１のアクチュエータの第２の端部が、前記シェルの第１の側部から延在しており、該第１のアクチュエータが、第１の方向に前記パネルを移動させるように構成される、第１のアクチュエータと、
第１の端部および第２の端部を有する第２のアクチュエータであって、該第２のアクチュエータの第１の端部が、前記パネルの第２の端部に結合され、該第２のアクチュエータの第２の端部が、前記シェルの第２の側部から延在しており、該第２のアクチュエータが、前記第１の方向と反対側の第２の方向に前記パネルを移動させるように構成される、第２のアクチュエータと
を備える衣服。
【請求項２６】
前記シェルが肩領域を含み、前記第２のアクチュエータの一部が、前記シェルの前記肩領域を通って、前記シェルの内側層と前記シェルの外側層との間に配置される、請求項２５に記載の衣服。
【発明の詳細な説明】
【技術分野】
【０００１】
発明の背景
本発明は一般に衣料、特に通気構造を有する衣服、および該通気構造の使用方法に関する。
【背景技術】
【０００２】
一般的には、人は、天候要素から保護させるために衣服を着用する。人は、環境条件に応じて、運動の開始時にも、保温するために様々な衣服を着用する。運動の際にユーザの体温が上がり、ある温度になるとユーザは衣服の中が不快になり、体温を冷ます必要が出てくる。
【０００３】
一般的には、ユーザは、数枚の衣服を重ね着し、体温を冷ます必要があるときに１枚脱ぐ。このような脱衣は、運動時、特に運動によっては困難であることがある。さらに、ユーザは通常、脱いだ衣服を持っているかまたはそうでなければ片付けなければならない。あるいは、公知の衣服の中には、衣服への空気の流入および／または衣服からの空気の流出が可能な開口を含むものがある。
【発明の開示】
【発明が解決しようとする課題】
【０００４】
したがって、衣服への空気の流入および／または衣服からの空気の流出を調節するために容易に調整可能である、通気構造を含む衣服が必要とされている。
【課題を解決するための手段】
【０００５】
発明の概要
衣服は、通気構造を有するシェルを備え、該通気構造はシェルに設けられた開口を含む。開口は、シェルへの空気の流入およびシェルからの空気の流出を可能にするように構成される。一実施形態では、衣服は、開口を通る空気流を調節するために、開口に対して移動可能な調節機構または閉塞機構を含む。一実施形態では、調節機構は、シェルに対して移動可能な素材のパネルまたは層を含む。
【０００６】
また、調節機構は、パネルに結合されるとともに、シェルに対してパネルを移動させるように操作可能である移動機構を含む。一実施形態では、調節機構は、パネルを第１の方向に移動させる移動機構と、パネルを第２の方向に移動させる別の移動機構とを含む。一実施形態では、パネルは、パネルによって開口が閉塞される位置および開口の一部が閉塞されない位置を含む幾つかの位置に選択的に配置可能である。
【発明を実施するための最良の形態】
【０００７】
詳細な説明
衣服は、通気構造を有するシェルを備え、該通気構造はシェルに設けられた開口を含む。開口は、シェルへの空気の流入およびシェルからの空気の流出を可能にするように構成される。一実施形態では、衣服は、開口を通る空気流を調節するために、開口に対して移動可能な調節機構または閉塞機構を含む。一実施形態では、調節機構は、シェルに対して移動可能な素材のパネルまたは層を含む。
【０００８】
また、調節機構は、パネルに結合されるとともに、シェルに対してパネルを移動させるように操作可能である移動機構を含む。一実施形態では、調節機構は、パネルを第１の方向に移動させる移動機構と、パネルを第２の方向に移動させる別の移動機構とを含む。一実施形態では、パネルは、パネルによって開口が閉塞される位置および開口の一部が閉塞されない位置を含む幾つかの位置に選択的に配置可能である。
【０００９】
「通気構造」という用語は、空気が流れることができる任意のタイプの開口を包含することを意図している。「通気構造」、「通気開口」および「空気流開口」という用語は、本明細書では同義的に用いられる。本明細書に記載される開口または通気構造には、開口と実質的に同質である通気性素材層が含まれる場合がある。通気性素材の一例はメッシュである。通気性素材の別の例は、メッシュよりも少ないより大きい孔を有する素材である。この例示的な素材はいずれもあるいは多孔質素材とも呼ばれ得る。
【００１０】
「可動パネル」、「可動層」、「パネル」および「層」という用語は、同義的に用いられることがあり、開口に近接して配置され、開口に対して移動され得る任意のタイプの素材を包含することを意図している。パネルは、１層以上の素材を含んでもよい。「調節機構」および「閉塞機構」という用語は、本明細書では同義的に用いられる。
【００１１】
本発明の実施形態による衣服のブロック図が、図１に示されている。衣服１０は、通気構造または開口１２を含む。一実施形態では、開口１２は、衣服１０の後側部分に配置され得る。代替的実施形態では、開口１２は、衣服１０の任意の箇所に配置され得る。開口１２のサイズおよび形態は、異なる実施形態間で異なり得る。
【００１２】
図１に示すように、衣服１０は、調節機構または閉塞機構１５を含む。衣服１０の開口１２を通って流れる空気の量は、調節機構１５を介してユーザによって調整可能である。調節機構１５の一部は、空気流の量を調整するために、開口１２に隣接して配置される。
【００１３】
一実施形態では、調節機構１５は、開口１２に対して可動なパネルまたは層１６を含む。ユーザは、開口１２がパネル１６によってどの程度閉塞されないかを調節するために、開口１２に対してパネル１６を選択的に配置することができる。例えば、パネル１６は、開口１２の全てを閉塞するか、全く閉塞しないかまたは一部を閉塞するように、開口１２に対して幾つかの位置に配置され得る。
【００１４】
この実施形態では、調節機構１５は移動機構１８を含む。移動機構１８は、パネル１６に結合され、開口１２に対してパネル１６を移動させるように操作可能である。例えば、ユーザは、パネル１６を移動させるように移動機構１８を操作可能であり、それによって、パネル１６は開口１２を覆うかまたは閉塞し、開口１２を通って衣服１０を出入りする空気の量を減少させる。同様に、パネル１６は、開口１２の一部を閉塞しないように移動可能であり、それによって、開口１２の閉塞されていない部分に空気を通させる。
【００１５】
空気は、開口１２の箇所に応じて、開口１２を通って衣服１０に流入したりまたは衣服１０から流出したりする。例えば、衣服１０がジャケットである場合、当該ジャケットの前面の開口により、空気をジャケット内に流入させてユーザを涼しくする。同様に、例えば、開口がジャケットの背面に配置されている場合、当該ジャケット内部の暖かい空気を開口から流出させてユーザを涼しくする。
【００１６】
パネル１６は、任意のサイズまたは構造を有することが可能であり、本来ならば開口１２を通って衣服１０に入ってくるであろう環境要素の少なくとも一部を遮断する任意の素材で作製され得る。例えば、パネルは、一緒に結合された１層以上の布の膜であり得る。あるいは、パネルは、可撓性のプラスチック片などの半硬質素材であり得る。
【００１７】
衣服の代替的実施形態のブロック図が、図２に示されている。この実施形態では、衣服２０は開口２２および２４を含む。開口２２および２４により、空気を衣服２０に流入させたり衣服２０から流出させたりできる。開口２２および２４は、異なるサイズおよび構造を有することが可能であり、一般的には衣服２０の異なる箇所に配置される。例えば、開口２２は衣服２０の前側部分に位置することが可能であり、開口２４は衣服２０の後側部分に位置することが可能である。
【００１８】
図２に示すように、衣服２０は、開口２２と関連する調節機構２５と、開口２４と関連する調節機構３５とを含む。開口２２および２４を通って流れる空気の量は、該当する調節機構２５または３５を介してユーザによって調節可能である。
【００１９】
一実施形態では、調節機構２５は、開口２２に対して可動なパネルまたは層２６を含む。ユーザは、開口２２がパネル２６によってどの程度閉塞されないかを調節するために、開口２２に対してパネル２６を選択的に配置することができる。例えば、パネル２６は、開口２２の全てを閉塞するか、全く閉塞しないかまたは一部を閉塞するように、開口２２に対して幾つかの位置に配置され得る。同様に、調節機構３５は、開口２４に対して可動なパネル２８を含む。
【００２０】
この実施形態では、調節機構２５は、パネル２６に結合された移動機構３０を含む。移動機構３０は、開口２２を全く閉塞しないかまたは幾らかの部分を閉塞するように、パネル２６を移動させるように操作可能である。同様に、調節機構３５は、パネル２８に結合された移動機構３２を含み、開口２４の全てを閉塞するか、全く閉塞しないかまたは幾らかの部分を閉塞するように操作可能である。移動機構３０および３２は、同時にまたは時間を異ならせて作動可能である。
【００２１】
一実施例では、衣服２０は、前側部分の開口２２と、後側部分の開口２４とを有するジャケットである。空気を前側開口２２に流入させたい場合、ユーザは、パネル２６を移動させるように移動機構３０を操作して該パネルが開口２２全体を閉塞しないようにすることができる。衣服２０の中の暖かい空気を後側開口２４から流出させたい場合、ユーザは、パネル２８を移動させるように移動機構３２を操作して該パネルが開口２４全体を閉塞しないようにすることができる。
【００２２】
衣服の代替的実施形態のブロック図が、図３に示されている。この実施形態では、衣服４０は、異なる箇所に配置された通気構造または開口４２および４４を含む。開口４２および４４は、衣服４０へ空気を流入させるかまたは衣服４０から空気を流出させるように構成される。
【００２３】
衣服４０は調節機構４５を含む。開口４２および４４を通って流れる空気の量は、調節機構４５を介してユーザによって調節可能である。この実施形態では、調節機構４５は、パネルまたは層４６および４８を含み、該パネルまたは層４６および４８は、それぞれ開口４２および４４と関連付けられる。パネル４６および４８は、開口４２および４４がどの程度閉塞されないかを調節するために、それぞれ開口４２および４４に対して移動可能である。例えば、パネル４６および４８は、開口４２および４４の全てを閉塞するか、全く閉塞しないかまたは一部を閉塞するように、開口４２および４４に対して幾つかの位置に配置され得る。
【００２４】
この実施形態では、調節機構４５は、パネル４６および４８に結合された移動機構５０を含む。この実施形態では、移動機構５０を操作することによって、開口４２および４４に対してパネル４６および４８を同時に移動させる。
【００２５】
衣服の実施形態が図４〜図９に示されている。この実施形態では、衣服１００は、胴体部分１０４と、袖部分１０６および１０８とを有するシェル１０２を含む。シェル１０２は、前側部分１１０および後側部分１１２を有する（図５参照）。
【００２６】
前側部分１１０は、開口１１４を覆うとともにシェル１０２の他の部分とは異なる通気特性を有するメッシュなどの素材１１６を有する通気構造または開口１１４を含む。通気性素材１１６は、開口１１４を通ってシェル１０２に空気を流入させる幾つかの開口または孔を含む。同様に、後側部分１１２は、開口１１８を覆う素材１１６と類似した通気性素材１２０を有する通気構造または開口１１８を含む。素材１２０は、開口１１８を通ってシェル１０２に空気を流入させる幾つかの開口または孔を含む。
【００２７】
衣服１００は、ユーザが衣服１００を着られるように、襟１２２と、襟１２２につながる閉鎖機構１２４とを含む。一実施形態では、閉鎖機構１２４はジッパーである。
【００２８】
図６を参照すると、図５に示した衣服１００の構成要素の幾つかの部分断面図が示されている。この実施形態では、衣服１００は、外面１３２および内面１３４を有する外側層１３０と、外面１４２および内面１４４を有する内側層１４０とを含む。内側層１４０の内面１４４は、ユーザの身体が位置する衣服１００の内部領域１２６を画定する。外側層１３０は、予め特定される開口１１８を含む。この実施形態では、内側層１４０は、メッシュ素材などの通気性素材で作製されている。
【００２９】
外側層１３０の内面１３４と、内側層１４０の外面１４２とは、その間に空洞または区域１５０を画定する。この実施形態では、衣服１００は、開口１１８に近接して配置可能な調節機構１５５を含む。調節機構１５５は、外側層１３０と内側層１４０との間の空洞１５０に配置されるパネル１６０を含む。パネル１６０は、外面１６２、内面１６４、上側端部１６６および下側端部１６８を含む。パネル１６０は、該パネル１６０によって開口１１８の全てが閉塞されるか、一部が閉塞されるか、または全く閉塞されないように、開口１１８に対して選択的に配置可能である。開口１１８を通って周囲から衣服１００に流れ込む空気は、図６に矢印Ａで示している。
【００３０】
図７を参照すると、衣服１００の幾つかの構成要素の分解斜視図が示されている。図示するように、内側層１４０は、全体的に通気性素材または多孔質素材で作製されている。開口１１８は、任意の形状を有することが可能であり、この実施形態では寸法ｄ１およびｗ１を含む。パネル１６０は、寸法ｄ２およびｗ２を有し、該寸法は、この実施形態では、開口１１８の対応する寸法よりわずかに大きく、それによって、パネル１６０が開口１１８全体を覆うように位置決めされ得る。
【００３１】
この実施形態では、外側層１３０は、比較的低い通気性を有する素材（実質的に無孔の素材など）から構成された第１の領域１３１を含み、第１の領域１３１の素材より通気性の高い素材が配置された、開口１１８に関連する第２の領域１３３を含む。
【００３２】
代替的実施形態では、パネル１６０は、該パネル１６０によって閉塞される開口１１８の量を変化させるために、開口１１８に対して任意の方向に移動可能である。例えば、パネル１６０は上方向または下方向に移動可能である。あるいは、パネル１６０は左右に移動可能である。さらに、パネル１６０は、開口１１８に対して斜めに移動可能である。
【００３３】
図８および図９を参照すると、パネル１６０は、外側層１３０の開口１１８に対する２つの形態または位置で示されている。パネル１６０は、開口１１８が閉塞されない第１の形態１７０で配置され得る（図８参照）。この形態では、パネル１６０は、開口１１８と実質的にオフセットしているかまたはずれている。パネル１６０は、第２の形態１７２に配置可能であり、該第２の形態では、パネル１６０は開口１１８と実質的に位置合わせされ、それによって、開口１１８を閉塞し、開口を通る空気流を減少させる。
【００３４】
衣服の代替的実施形態が、図１０に示されている。この分解斜視図では、衣服の幾つかの構成要素のみが示されている。シェル２００は、外側層２１０および内側層２２０を含む。外側層２１０は、多孔質素材２１４が配置された開口２１２を含む。
【００３５】
この実施形態では、内側層２２０は、比較的低い通気性を有する素材（実質的に無孔の素材など）から構成された第１の領域２２１を含み、第１の領域２２１の素材より通気性の高い素材２２４が配置された、開口２２２に関連する第２の領域２２３を含む。内側層２２０の開口２２２と外側層２１０の開口２１２とは実質的に位置合わせされて、空気が開口２１２および２２２を通って流れることができるようになっている。
【００３６】
衣服２００は、パネル２３０を有する調節機構２２５を含む（図１０参照）。パネル２３０は、外側層２１０と内側層２２０との間に配置される。パネル２３０は、開口２１２および２２２を通って流れる空気の全てを遮断するか、一部を遮断するか、または全く遮断しないように構成される。パネル２３０は、パネル２３０に結合された移動機構またはアクチュエータ（図示せず）によって移動可能である。
【００３７】
衣服の代替的実施形態が、図１１に示されている。この分解斜視図では、衣服の構成要素の幾つかのみが示されている。衣服２５０は外側層２６０を含むが内側層を含まない。外側層２６０は、内面２６６と、メッシュなどの通気性素材２６４を有する開口２６２とを含む。
【００３８】
この実施形態では、衣服２５０は案内構造２７０を含む。案内構造２７０は、それぞれチャネル２７６および２７８を画定する一対の案内部２７２および２７４を含む。案内部２７２および２７４は、開口２６２の両側に配置される。案内部は、開口に沿ってパネルを案内するのに十分な剛性を有する任意の素材から作製され得る。
【００３９】
衣服２５０は、側部部分２８４および２８６を備えたパネル２８２を有する調節機構２８０を含む。案内部２７２および２７４は、間隔を空けており、パネル２８２の側部部分２８４および２８６がそれぞれチャネル２７６および２７８に滑り込めるようになっている。案内構造２７０は、パネル２８２を、外側層２６０、特に開口２６２に近接して保持する。調節機構２８０は、パネル２８２を移動させるために使用可能なアクチュエータ（図示せず）を含んでもよい。
【００４０】
衣服の代替的実施形態が、図１２〜図１５に示されている。この実施形態では、衣服３００は、胴体領域３０４と、袖３０６および３０８とを有するシェル３０２を含む。シェル３０２は、前側部分３１０および後側部分３１２を含む（図１３参照）。衣服３００の後側部分３１２は、メッシュなどの通気性素材が配置された開口３１４を含む。開口３１４は、シェル３０２の内部領域と連通している。
【００４１】
図１３に示すように、衣服３００は、開口３１４を通る空気流を調節するように操作可能な調節機構３２５を含む。調節機構３２５は、開口３１４に対して複数の位置または形態で配置可能なパネルまたは層３３０（仮想線で示す）を含む。パネル３３０は、衣服３００の外側層の内部に配置され、上側端部３３２、下側端部３３４、上側かど３３６および下側かど３３８を含む。
【００４２】
調節機構３２５は、パネル３３０に結合された幾つかの移動機構３５０および３６０を含む。移動機構３５０はパネル３３０の上側端部３３２に結合され、移動機構３６０はパネル３３０の下側端部３３４に結合される。
【００４３】
移動機構３５０が、図１２の矢印「Ｂ」の方向に沿って移動されると、パネル３３０は、矢印「Ｃ」の方向に沿って第１の形態３４０（図１３参照）から第２の形態３４２（図１５参照）へと移動される。形態３４０では、パネル３３０は開口３１４を閉塞せず、空気は開口を通って容易に流れることができる。形態３４２では、パネル３３０は開口３１４と位置合わせされ、衣服３００の内部領域に入る空気流が減少される。移動機構３５０が図１３の矢印「Ｄ」の方向に沿って移動されると、パネル３３０は、矢印「Ｅ」の方向に沿って第２の形態３４２から第１の形態３４０へと移動される。
【００４４】
この実施形態では、移動機構３５０はアクチュエータ３５２および３５４を含む。アクチュエータ３５２および３５４は、引っ張りコード、ひも、ロープ、テープ、リボン等などの任意のタイプの細長部材であり得る。アクチュエータ３５２および３５４は、それぞれそれらの遠位端に結合された引き手３５６および３５８を含む（図１２参照）。引き手３５６および３５８により、ユーザによるアクチュエータ３５２および３５４の把持および操作が容易になる。アクチュエータ３５２および３５４の他方の端部は、パネル３３０に結合される。
【００４５】
同様に、移動機構３６０はアクチュエータ３６２および３６４を含む。アクチュエータ３６２および３６４は、アクチュエータ３５２および３５４と同様に、任意のタイプの細長部材であり得る。アクチュエータ３６２および３６４は、それぞれそれらの遠位端に結合された引き手３６６および３６８を含み、それにより、ユーザによるアクチュエータ３６２および３６４の把持が容易になる。
【００４６】
図１２に示すように、シェル３０２は、前側部分３１０に孔３１６および開口３１８を含む。各開口は、それに付随するプラスチック製のアイレットまたはグロメットを含み得る。アクチュエータ３５２は開口３１６に差し込まれ、引き手３５６は、アクチュエータ３５２が開口３１６から外れるのを防ぐように構成される。同様に、アクチュエータ３５４は開口３１８に差し込まれ、引き手３５８は、アクチュエータ３５４が開口３１８から外れるのを防ぐように構成される。
【００４７】
同様に、シェル３０２は、後側部分３１２に孔または開口３２０および３２２を含む（図１３参照）。各開口は、それに付随するプラスチック製のアイレットまたはグロメットを含み得る。アクチュエータ３６２は開口３２０に差し込まれ、引き手３６６は、アクチュエータ３６２が開口３２０から外れるのを防ぐように構成される。アクチュエータ３６４は開口３２２に差し込まれ、引き手３６８は、アクチュエータ３６４が開口３２２から外れるのを防ぐように構成される。アクチュエータ３５２および３６２は、シェル３０２の対応する孔を通って、シェル３０２の内部領域からシェル３０２の外側まで延在している。
【００４８】
衣服の代替的実施形態が、図１６および図１７に示されている。この実施形態では、衣服４００は、前側部分４１０および後側部分４１２を含むシェル４０２を含む（図１７参照）。衣服４００の前側部分４１０は、メッシュなどの通気性素材が配置された通気構造または開口４１４を含む。同様に、衣服４００の後側部分４１２は、メッシュなどの通気性素材を有する通気構造または開口４１６を含む。
【００４９】
図１６に示すように、衣服４００は、開口４１４と関連する前側調節機構と、開口４１２と関連する後側調節機構とを含む。前側調節機構は、前側パネル４４０と、移動機構４５０および４６０とを含む。同様に、後側調節機構は、後側パネル４３０と、移動機構４７０および４８０とを含む。パネル４３０および４４０はシェル４０２内に配置され、それぞれの開口に対して複数の形態で配置され得る。
【００５０】
移動機構４５０および４６０は、パネル４３０を互いに反対の２つの方向に移動させるために、パネル４３０に結合される。同様に、移動機構４７０および４８０は、パネル４４０を互いに反対の２つの方向に移動させるために、パネル４４０に結合される。移動機構４５０、４６０、４７０および４８０はそれぞれ、アクチュエータ４５２と４５４、４６２と４６４、４７２と４７４、および４８２と４８４を含む。一実施形態では、アクチュエータの各々は、シェル４０２のそれぞれの開口を通ってシェルの内部から外部まで通っており、その遠位端に引き手を含んでいてもよい。
【００５１】
ユーザがアクチュエータ４５２および４５４を下方向に引くと、後側パネル４３０は矢印「Ｈ」の方向に沿って移動する（図１７参照）。ユーザは、パネル４３０が開口４１６と位置合わせされてそれを閉塞するのに十分に、アクチュエータ４５２および４５４を引くことができる。ユーザがアクチュエータ４６２および４６４を下方向に引くと、後側パネル４３０は矢印「Ｉ」の方向に沿って移動する。ユーザがアクチュエータ４６２および４６４あるいはアクチュエータ４５２および４５４を引く程度によって、後側開口４１６がどの程度パネル４３０によって覆われないかが決まる。
【００５２】
ユーザがアクチュエータ４７２および４７４を下方向に引くと、前側パネル４４０は矢印「Ｇ」の方向に沿って移動する。ユーザがアクチュエータ４８２および４８４を下方向に引くと、前側パネル４４０は矢印「Ｆ」の方向に沿って上方向に移動する。ユーザは、開口４１４の一部または全てが閉塞されるように、アクチュエータ４８２および４８４を引くことができる。パネル４４０によって閉塞されないかまたは覆われない開口４１４の量は、ユーザがどの程度アクチュエータ４７２および４７４を下方向に引くかによって決められる。
【００５３】
衣服４００は、アクチュエータ４８２および４８４によってそれぞれ係合される案内部４８６および４８８を含む。案内部４８６および４８８によって、パネル４４０に関連する両方の移動機構４５０および４６０を、衣服４００の前側に配置させることが可能になる。
【００５４】
調節機構の実施形態が、図１８および図１９に示されている。この実施形態では、調節機構５００は、端部ならびにかど部分５１２、５１４、５１６および５１８を有する本体部分５１０を有するパネル５０５を含む。パネル５０５は、本体部分５１０の周縁５１１に沿って結合されたバインディングまたはパイピング５２０を含む。周縁５１１は、第１の周縁部分５１３と、周縁部分５１３とは反対側の第２の周縁部分５１５とを含む。
【００５５】
代替的実施形態では、パネル５０５が移動する際にパネル５０５とシェルの構成要素との間で生じる摩擦を低減するために、パネル５０５は、周縁の全てまたは一部の周りに配置される、テフロン（Ｔｅｆｌｏｎ）（登録商標）などの素材を含み得る。
【００５６】
図１９を参照すると、パネル５０５は第１の部分５２２および第２の部分５２４を含み、それらは、該部分５２２および５２４の周縁の周りに縫合されるバインディング５２０によって一緒に結合される。
【００５７】
図１８を参照すると、調節機構５００は、パネル５０５に結合された移動機構５３０および５４０を含む。移動機構５３０は、それぞれかど５１２および５１４に近接してパネル５０５に結合されたアクチュエータ５３２および５３４を含む。アクチュエータ５３２および５３４は、屈曲部分５３６および５３８を備えた状態で示されており、該屈曲部分は、アクチュエータ５３２および５３４のユーザの肩にかかる形態となっている。該配置構成では、アクチュエータ５３２および５３４は、衣服の肩領域を通って延在している。アクチュエータ５３２および５３４は、可撓性の細長部材である。
【００５８】
移動機構５４０は、それぞれかど５１６および５１８に近接してパネル５０５に結合されたアクチュエータ５４２および５４４を含む。この実施形態の構成では、アクチュエータ５３２、５３４、５４２および５４４の各々の端部はバインディング５２０の下に配置され、ここで、該バンディングは、アクチュエータを結合するために本体部分５１０に結合される。アクチュエータ５３２と５３４、および５３６と５３８は、それぞれパネル５０５の第１の周縁部分５１３および第２の周縁部分５１５に結合される。
【００５９】
代替的実施形態では、パネルは単一層の素材を含み得る。あるいは、バインディングを用いる代わりに、複数片の素材を一緒にステッチすることが可能である。また、移動機構のアクチュエータは、任意の箇所で、任意の公知の結合技術または方法を用いて、可動層に結合可能である。
【００６０】
調節機構の代替的実施形態が、図２０に示されている。この実施形態では、調節機構５５０は、本体部分５６０を有するパネル５５５を含む。移動機構５７０は、本体部分５６０の一部または一端部に結合される。別の移動機構５８０は、本体部分５６０の、反対側の部分または端部に結合される。
【００６１】
この実施形態では、移動機構５７０は、共通のアクチュエータまたはアクチュエータ部分５７２、ならびに２つの結合しているアクチュエータまたはアクチュエータ部分５７４および５７６を含む。同様に、移動機構５８０は、共通のアクチュエータまたはアクチュエータ部分５８２、ならびに２つの結合しているアクチュエータまたはアクチュエータ部分５８４および５８６を含む。ユーザは、衣服の開口に対して所望の方向にパネル５５０を移動させるために、部分５７２または部分５８２を選択的に引くことができる。
【００６２】
調節機構の代替的実施形態が、図２１に示されている。この実施形態では、調節機構６００は、幾つかの孔６１２、６１４、６１６および６１８を有する本体部分６１０を有するパネル６０５を含む。孔の箇所および形態は変更可能である。
【００６３】
調節機構６００は、孔６１２および６１６を通して差込み可能であるアクチュエータ６２０を含む。アクチュエータ６２０は、粘着剤、縫合、テープ留め等などの任意の公知の技術を用いて本体部分６１０に結合可能である。
【００６４】
また、調節機構６００は、孔６１４および６１８を通して差込み可能であるアクチュエータ６３０を含む。アクチュエータ６３０は、アクチュエータ６２０と同様の方法で本体部分６１０に結合可能である。アクチュエータ６２０および６３０と本体部分６１０とを結合することによって、本体部分６１０がアクチュエータ６２０および６３０に対して移動するのを防ぐ。
【００６５】
本発明による案内部の実施形態が、図２２に示されている。この実施形態では、案内部６５０は、取付け部分６５２および６５４と、本体部分６５６とを含む。本体部分６５６は、アクチュエータを差込可能であるチャネル６５８を画定する。案内部６５０の取付け部分６５２および６５４は、任意の公知の技術を用いて衣服に結合可能である。案内部６５０を用いて、アクチュエータの方向および向きを調節する。一実施例では、案内部６５０は、衣服の肩領域に近接して、衣服に結合される。
【００６６】
衣服の代替的実施形態が、図２３に示されている。この実施形態では、衣服７００は、胴体領域７０４と、袖７０６および７０８とを有するシェル７０２を含む。シェル７０２は、前側部分７１０、後側部分７１２および肩領域７１３を有する。胴体領域７０４の前側部分７１０は下側端部７１６を有し、胴体領域７０４の後側部分７１２は下側端部７１８を有する。下側端部７１６および７１８は、シェル７０２の、肩領域７１３とは反対の端部にある。この実施形態では、後側部分７１２の下側端部７１８は、前側部分７１０の下側端部７１６より下に延びている。図２４を参照すると、後側部分７１２は、メッシュなどの通気性素材７５２が配置された開口７５０を含む。
【００６７】
胴体領域７０４は、前側パネル７２０、後側パネル７２２（図２４参照）および側部パネル７２４および７２６を含む。前側パネル７２０および後側パネル７２２は、側部パネル７２４と７２６との間に配置され、側部パネル７２４と７２６に縫合によって結合される。この実施形態では、前側パネル７２０および後側パネル７２２は、ポリエステル素材で作製されている。側部パネル７２４および７２６は、ポリエステル製のメッシュ素材などの通気性素材で作製されている。側部パネルは、サイドシームおよび袖の下のシームの必要をなくすガセット（補強材）である。
【００６８】
特定の素材の通気特性は、どの程度の空気が素材を通るかを示す。ユーザは、必要な空気流および冷却特性に応じて、衣服の異なる箇所で異なる通気性を有する素材を望むであろう。一実施形態では、メッシュから構成された側部パネル７２４および７２６の通気性は、後側部分７１２の開口７５０に用いられる素材７５２の通気性よりも低い。
【００６９】
衣服７００は、前側フラップ７５４および７５６を含み、該フラップの下側端部は、衣服７００の胴体領域７０４に結合されていない。各フラップ７５４および７５６の下には、衣服の内部領域と連通している通気性素材がある（図２３の切取り部分の符号７６２を参照）。空気は、フラップ７５４および７５６の結合されていない端部の下を流れ、下にある通気性素材を通って、衣服７００の内部領域に入る。
【００７０】
図２３および図２４を参照すると、衣服７００は袖７０６および７０８を含む。袖７０６および７０８の各々は、異なる素材の幾つかのパネルで作製されている。袖７０６および７０８は実質的に類似しており、互いに鏡像である。袖を構成するのが複数のきれであるため、袖は予め成形されているかまたは予め湾曲された形態を有する。
【００７１】
袖７０６は、公知のナイロン素材から構成されたパネル７３０、７３２および７３５を含む。袖７０６は、パネル７３０、７３２および７３５に結合された通気性素材パネル７３４を含む。最後に、袖７０６は、親水性素材で作製された吸収パネル７３６を含む。袖７０６の遠位端は、関連するパネルの端部を一緒に結合する袖口部分の周りにバインディング７３８を有する。
【００７２】
同様に、袖７０８は、パネル７４０、７４２および７４５、通気性素材パネル７４４ならびに吸収パネル７４６を含む。袖７０８の遠位端は、関連するパネルの端部を一緒に結合する袖口部分の周りにバインディング７４８を有する。
【００７３】
袖７０８は、当該袖７０８のパネル７４０の内部ポケット（図示せず）と連通している開口７５８を含む。ポケットは、開口７５８に近接して外側層の内面に結合されるメッシュ素材であり得る。一実施形態では、拡張機構が開口７５８に近接して配置され得、ジッパーなどの閉鎖機構が開けられると、該拡張機構がポケットを開けさせるようになっている。代替的実施形態では、開口およびポケットは、いずれかの袖のいずれかのパネルに位置し得る。一実施形態では、衣服７００は、隣接するパネル間のシームに沿って配置される、反射材料で作製可能なパイピング７５５および７５７（図２４参照）も含み得る。
【００７４】
衣服７００は、前側移動機構および後側移動機構を有する調節機構を含む。移動機構の各々は、内部パネル（図示せず）に結合される。前側移動機構は、アクチュエータ７７０およびアクチュエータ７８０を含む。この実施形態では、アクチュエータ７７０は、内部マグネット７７４（仮想線で示す）を有する引き手７７２を含む。胴体領域７０４は、シェル７０２に結合された金属製の構成要素７７６を含む。マグネット７７４と金属製の構成要素７７６とを結合することによって、引き手７７２を衣服７００の外面に固定し、それによって、運動中のアクチュエータ７７０および引き手７７２の動きを低減する。
【００７５】
衣服７００は、内部可動層（図示せず）に結合された移動機構を含む。アクチュエータ７８０は、内部マグネット（図示せず）を有する引き手７８２を含む。また、胴体領域７０４は、金属製の構成要素７８２を含む。マグネットと金属製の構成要素７８２とを結合することによって、引き手７８２を衣服７００の外面に固定し、それによって、運動中のアクチュエータ７８０および引き手７８２の動きを低減する。また、衣服７００は、胴体領域７０４の後側部分７１２に配置されたアクチュエータ７９０および７９２を含む。代替的実施形態では、マグネットと金属製の構成要素の箇所を逆にすることができる。あるいは、引き手および衣服が各々、マグネットを含むことが可能である。
【００７６】
本発明による袖の実施形態が、図２５〜図２７に示されている。この実施形態では、袖８００は、一緒に結合される、異なる素材の幾つかのパネルを含む。袖８００は、衣服の胴体領域に結合される端部８０２と、反対側の遠位端８０４とを含む。
【００７７】
袖８００は、パネル８１０、８２０、８３０および８４０を含む。パネル８１０および８２０は、例えば風を通さないナイロン素材で作製され、縫合によって一緒に結合され得る。その後、パイピング８７０が、パネル８１０および８２０のシームに結合される。
【００７８】
パネル８３０は、例えば通気性素材で作製され、パネル８４０は吸収パネルである。パネル８４０はスエード素材から構成され得る。袖８００の遠位端は、関連するパネルの端部を一緒に結合する袖口部分の周りにバインディング８５０を有する。
【００７９】
図２５および図２７に示すように、袖８００には、親指用開口８６０が形成されている。開口８６０は、該開口８６０の外周の周りに延在するバインディング８６２によって画定されている。
【００８０】
図２７を参照すると、パネル８１０は、縁部８１２、８１４および８１６を含み、パネル８２０は、縁部８２２および８２４を含む。縁部８１６および８２２は、縫合および／またはバインディングなどの任意の公知の技術を用いて一緒に結合される。
【００８１】
パネル８３０は、縁部８３４および８３６、開口８３２ならびに被覆領域８３８を含む。開口８３２は、ユーザの親指を受容するように構成され、任意の形状または形態を有することが可能である。縁部８３４は、任意の公知の技術を用いて縁部８２４および縁部８１４に結合される。同様に、縁部８３６は縁部８１２に結合される。
【００８２】
袖８００のパネル８４０は、パネル８３０の被覆領域８３８に配置される。パネル８４０は、遠位端８４２および凹部８４４を含み、該凹部は、パネル８４０がパネル８３０の被覆領域８３８に配置される際に、開口８３２と位置合わせされる。パネル８４０および８３０は、縫合、粘着剤等によって結合され得る。代替的実施形態では、吸収パネルは、開口または凹部を全く含んでいなくてもよい。
【００８３】
本発明による引き手の実施形態が、図２８〜図３２に示されている。引き手９００により、アクチュエータ９５０の把持および操作が容易になる。図２８に示すように、引き手９００は、中心に位置する開口９０４を画定している本体部分９０２を含む。本体部分９０２は、側部９０６および９０８（図３０参照）、下側端部９１０および上側端部９１２を有する。アクチュエータ９５０は、任意の公知の技術を用いて上側端部９１２に結合可能である。本体部分９０２は２つの把持領域９２０および９３０を含み、該把持領域は、それぞれ幾つかの隆起部または突起部９２２および９３２を含む（図２９参照）。隆起部９２２および９３２は、ユーザの指に付加的な滑り防止および摩擦を与える。
【００８４】
一実施例では、本体部分９０２は、本体部分９０２の残りの部分とは異なる色の部分９４０を含んでもよい。例えば、部分９４０を赤くして、本体部分９０２の残りの部分を黒くすることができる。
【００８５】
調節機構の代替的実施形態が、図３３〜図３５に示されている。図３３は、衣服（図示せず）の外部および内部を示す線を含む。調節機構１０００は、移動機構１００５および可動パネル１０５０を含む。移動機構１００５は、パネル１０５０に結合され、衣服の内部から外部まで延在している。
【００８６】
この実施形態では、移動機構１０００は、可動パネル１０５０の一部に結合されたアクチュエータ１０１０を含む。アクチュエータ１０１０は、パネル１０５０のかどに結合された状態で示されているが、他の実施形態では、アクチュエータは任意の箇所でパネルに結合され得る。
【００８７】
アクチュエータ１０１０は、パネル１０５０に結合される第１の端部１０１２と、引き手１０２０が結合される第２の端部１０１４とを含む。アクチュエータ１０１０の第２の端部１０１４は、衣服の外側に配置される。アクチュエータ１０１０は、実質的に弾性のない細長部材である。
【００８８】
また、移動機構１０００は、衣服のシェルに結合されるとともにアクチュエータ１０１０に結合されるリトラクタ１０３０を含む。リトラクタ１０３０は、アクチュエータ１０１０がユーザによって伸長すると、アクチュエータ１０１０をシェルに対して内側に付勢する。
【００８９】
リトラクタ１０３０は、シェルの内側箇所に結合される第１の端部１０３２を含む。例えば、リトラクタ１０３０は、任意の公知の技術を用いて任意の箇所で内側層に結合され得る。リトラクタ１０３０は、アクチュエータ１０１０に結合される第２の端部１０３４を含む。
【００９０】
一実施形態では、第２の端部１０３４は、熱収縮されるか、あるいはそうでなければアクチュエータ１０１０に溶接または溶融され得る（図３５の符号１０４０参照）。リトラクタ１０３０は、弾性特性を有する任意の素材であり得、アクチュエータ１０１０およびリトラクタ１０３０に対する力がかからなくなると、非付勢状態に戻るようになっている。一実施形態では、リトラクタは弾性のドローコードである。
【００９１】
図３３では、パネル１０５０およびアクチュエータ１０１０は、それぞれその第１の形態１０５２および１００２で示されている。この配置構成では、リトラクタ１０３０は、その非付勢形態ですなわち引っ込められた形態で示されている。
【００９２】
図３４に示すように、ユーザが引き手１０２０を掴み、引き手１０２０を矢印「Ｊ」の方向に沿ってその第２の形態１００４に移動させると、アクチュエータ１０１０の移動により、パネル１０５０が、その第１の形態１０５２から別の形態１０５４へと移動される。同時に、図示するように、端部１０３２が実質的に固定されたままの状態で、リトラクタ１０３０は伸長する。ユーザが引き手１０２０を放すと、リトラクタ１０３０はその非付勢形態に戻り、衣服から延びたアクチュエータ１０１０の量は縮小される。
【００９３】
衣服の代替的実施形態が、図３６〜図３８に示されている。この実施形態では、衣服１１００は、襟１１０４と、閉鎖機構１１０６および１１０８とを有するシェル１１０２を含む。この形態では、閉鎖機構１１０６および１１０８は、湾曲された形態を有し、襟１１０４から衣服の側部に向かって下方向に延在している。
【００９４】
衣服１１００は、開口１１１０が形成された胴体領域を含む。開口１１１０には、メッシュなどの通気性素材１１１２が配置されている。
【００９５】
既に図示して説明してきたように、衣服は、１つ以上のパネルを移動させるように操作可能な幾つかのアクチュエータを収容するために、胴体領域に複数の孔または開口を有することが可能である。この実施形態では、孔のペア１１２４、１１２６および１１２８が胴体領域に配置されている。
【００９６】
この実施形態では、胴体領域はフラップ１１１４および１１１６を含み、該フラップは、孔１１２４および１１２６の上に追加の素材を折り重ねることおよびカバーを形成することによって形成される。したがって、フラップ１１１４および１１１６は対応する孔を覆い、それによって孔が見えないように隠す。
【００９７】
例示的なアクチュエータ１１２０を示す。図示されていないが、孔１１２４、１１２６および１１２８の全てのためにアクチュエータが設けられる。別の例示的なアクチュエータ１１２２が、フラップ１１１６の後ろに位置する状態で図３６に示されている。ユーザは、フラップの外側縁部の下に手を伸ばすことによって、フラップの下に配置されたアクチュエータに手が届く。
【００９８】
この実施形態では、シェル１１０２は、外側層１１３０および内側層１１３２を含む。外側層１１３０の下側端部は、図示するように、縫合またはステッチによって内側層１１３２の内面の下に折られ、それに結合されている。チャネル１１３４が外側層１１３０によって形成され、コード１１４０がそこに配置される。
【００９９】
図３８を参照すると、開口１１３６が、チャネル１１３４と連通している内面に形成される。グロメット１１３８が開口１１３６に付随している。この実施形態では弾性特性を有するコード１１４０が、開口１１３６から延び、保持機構１１５０を通っている。保持機構１１５０は公知の位置ロック器具であり、該位置ロック器具は、コード１１４０に沿って摺動可能であり、コード１１４０に対してロック形態となる。機構１１５０は押しボタン１１５２を含み、該押しボタンは、そのロック形態から機構１１５０を解除して、それをコード１１４０に沿って摺動させるように操作可能である。
【０１００】
衣服の代替的実施形態が、図３９に示されている。この実施形態では、衣服１２００は、胴体領域１２０４を有するシェル１２０２を含む。胴体領域１２０４の前側の部分が、衣服１２００の幾つかの内部構成要素の説明を容易にするために、切り取られた状態で示されている。衣服１２００は、ポーチ１２０８が結合された内面１２０６を含む。ポーチ１２０８は、ステッチ１２１４によって面１２０６に結合され得る。ポーチ１２０８は、ジッパーなどの閉鎖機構１２１２によって開閉できる開口１２１０を含む。
【０１０１】
ユーザは、衣服１２００がポーチ１２０８に入るように、衣服１２００を裏返してそれを折り畳むことができる。ポーチ１２０８は、衣服１２００全体を収容できるようなサイズとなっている。この形態により、衣服１２００の容易な持ち運びとさらには容易な洗濯さえも可能になる。
【０１０２】
衣服の代替的実施形態が、図４０〜図４５に示されている。この実施形態では、衣服１５００は、胴体領域１５０４と、袖１５０６および１５０８とを有するシェル１５０２を含む。シェル１５０２の幾つかのパネルは、ステッチ、および場合によっては、衣服１５００の前側および後側にわたって延在するパイピング１５１０によって一緒に結合される。
【０１０３】
衣服１５００は、メッシュなどの通気性パネル１５３０および１５３２を含む外側層１５１２を含み、該パネルは、胴体領域１５０４ならびに袖１５０６および１５０８の一部に沿って延在している。袖１５０６および１５０８はそれぞれ、吸収パネル１５０３および１５０５を含む。衣服１５００は、メッシュなどの通気性素材で形成される後部内側層１５１４を含む。また、衣服１５００は、ユーザに快適さを与えるために襟に沿ってテクスチャード加工された素材１５１８を含む。ジッパーなどの閉鎖機構１５１９が襟に付属されている。
【０１０４】
衣服１５００は、袖１５０６および１５０８の遠位端に沿って縫合されるバインディング１５２０と、各袖の親指用開口の周縁に沿って縫合されるバインディング１５２２とを含む。
【０１０５】
図４１を参照すると、衣服１５００の背面図が示されている。衣服１５００は、その後側部分に開口１５４０を含む。メッシュなどの通気性素材１５４２が開口１５４０を覆っている。
【０１０６】
図４２を参照すると、衣服１５００を裏返した後の正面図が示されている。図示するように、通気性パネル１５３０および１５３２は、内面１５３１および１５３３を有する。衣服１５００は、縫合などの任意の公知の技術を用いて衣服１５００の外側層に結合された前部内側層１５１５を含む。
【０１０７】
図４３を参照すると、衣服１５００を裏返した後の背面図が示されている。衣服は、同様に、衣服１５００の外側層に結合された後部内側層１５１４を含む。
【０１０８】
図４４を参照すると、衣服１５００を裏返した後の背面図が示されている。この配置構成では、衣服１５００の幾つかの構成要素の例示および説明を容易にするために、後部内側層１５１４は取り外されている。
【０１０９】
衣服１５００は、開口１５４０に対して選択的に位置決め可能な可動のパネルまたは層１５６０を含む。この実施形態では、衣服１５００は、パネル１５６０を移動させるように操作可能な移動機構１５７０を有する調節機構を含む。移動機構１５７０は、孔１５３４および１５３６を通って衣服１５００の内部から外部まで延在しているアクチュエータ１５７２および１５７４を含む。各アクチュエータ１５７２および１５７４の一端部は、パネル１５６０に結合される。ユーザがアクチュエータ１５７２および１５７４を下方向に引くと、パネル１５６０は下方向に移動する。
【０１１０】
移動機構１５７０は、アクチュエータ１５７２および１５７４を内側に付勢するかまたは引くリトラクタ１５８０および１５８２を含む。リトラクタ１５８０の一端部は衣服１５００に結合され、リトラクタ１５８０の他方の端部１５８４はアクチュエータ１５７２に結合される。同様に、リトラクタ１５８２の一端部は衣服１５００に結合され、他方の端部１５８６はアクチュエータ１５７４に結合される。
【０１１１】
また、衣服１５００は、パネル１５６０に結合された移動機構１５７５を含む。移動機構１５７５はアクチュエータ１５７６および１５７８を含み、該アクチュエータは、ユーザの肩にわたって上方向に延在し、衣服１５００の前側に下りている。ユーザがアクチュエータ１５７６および１５７８を引くと、可動層１５６０は、衣服１５００の後側に沿って上方向に移動する。
【０１１２】
衣服１５００は、衣服１５００の肩領域に配置された案内構造１５９０および１５９２を含む。案内構造１５９０および１５９２はそれぞれ、アクチュエータ１５７６および１５７８を摺動可能に受容し、アクチュエータ１５７６および１５７８を方向付ける。案内構造１５９０および１５９２は、アクチュエータ１５７６および１５７８の張力を増大させ、それによって、アクチュエータ１５７６および１５７８を、シェルに対して所定の位置に維持または保持する。アクチュエータ１５７６および１５７８が所定の位置に保持されると、ユーザがアクチュエータを操作するまで、パネルはシェルに対して移動しない。
【０１１３】
例示的な案内構造が、図４５に示されている。案内構造１５９０は、縫合などの任意の公知の技術を用いて衣服１５００の内面またはシェルに結合された、可撓性の布部材または膜である。案内構造１５９０は、端部１５９８および１５９９を有する細長部材である。また、案内構造１５９０は、アクチュエータを差込み可能である幾つかのスリット１５９４、１５９５、１５９６および１５９７を含む。例えば、アクチュエータ１５７６は、スリット１５９４および１５９６に差し込まれた状態で示されている。
【０１１４】
代替的実施形態では、座金またはＯリングなどの開口を有する任意のタイプの摩擦生成構造が、アクチュエータに張力を与えるように構成される。
【０１１５】
衣服の代替的実施形態が、図４８〜図５１に示されている。この実施形態では、衣服１６００は、胴体領域１６０４と、袖１６０６および１６０８とを有するシェル１６０２を含む。図４６に例示した正面図に示すように、衣服１６００は、外面１６１２を有する前側パネル１６１０を含む。衣服１６００は、通気性素材ならびに幾つかの側部メッシュパネル１６１７および１６１８を有する開口１６１４を含む。
【０１１６】
図４７を参照すると、裏返された衣服１６００の正面図が示されている。また、衣服１６００は前部内側層１６１６を含み、該前部内側層は、その縁部に沿ってシェル１６０２の種々の構成要素に結合される。例えば、層１６１６はパネル１６１７および１６１８に結合される。前部内側層１６１６は内面１６１９を含む。
【０１１７】
図４６および図４７に示すように、衣服１６００は、襟１６２０と、襟１６２０から袖１６０８に向かって延在する閉鎖機構１６２２とを含む。代替的実施形態では、衣服はまた、他の袖に向かって延在する閉鎖機構を含み得る。
【０１１８】
図４８および図４９を見ながら、衣服１６００の内部構成要素をここで説明する。図４８は、前部内側層を取り外した状態の、裏返された衣服１６００の正面図である。同様に、図４９は、後部内側層を取り外した状態の、裏返された衣服１６００の背面図である。
【０１１９】
この実施形態では、衣服１６００は、前側開口１６１４および後側開口１６１５を含む。可動パネル１６４０および１６４２が、それぞれ開口１６１４および１６１５に関連付けられる。各パネルは、開口の全てを覆うか、全く覆わないかまたは一部のみを覆うように、ユーザによって移動可能である。
【０１２０】
衣服１６００は、パネル１６４０を移動させるように操作可能な２つの移動機構１６５０および１６６０を有する調節機構を含む。移動機構１６５０を用いて、開口１６１４の一部または全てを露出させるように、パネル１６４０を下方向に移動させることができる。移動機構１６６０を用いて、開口１６１４の一部または全てを覆うように、パネル１６４０を上方向に移動させることができる。
【０１２１】
移動機構１６５０は、孔１６２６および１６２８を通ってシェル１６０２から外側に延在するアクチュエータ１６５１および１６５２を含む。アクチュエータ１６５１および１６５２は、パネル１６４０に結合される。リトラクタ１６５３および１６５４の各々は、シェル１６００に一端部を結合され、端部１６５５および１６５６をそれぞれアクチュエータ１６５１および１６５２に結合される。ユーザがアクチュエータ１６５１および１６５２を下方向に引くと、リトラクタ１６５３および１６５４は伸長する。ユーザがアクチュエータを放すと、リトラクタ１６５３および１６５４は、シェル１６０２の内側におけるそれらの非付勢形態に戻る。
【０１２２】
移動機構１６６０は、孔１６２４および１６３０を通ってシェル１６０２から外側に延在するアクチュエータ１６６１および１６６２を含む（図４８参照）。アクチュエータ１６６１および１６６２は、パネル１６４０に結合される。リトラクタ１６６３および１６６４の各々は、シェル１６００に一端部を結合され、端部１６６５および１６６６をそれぞれアクチュエータ１６６１および１６６２に結合される。ユーザがアクチュエータ１６６１および１６６２を下方向に引くと、リトラクタ１６６３および１６６４は伸長する。ユーザがアクチュエータを放すと、リトラクタ１６６３および１６６４は、シェル１６０２の内側におけるそれらの非付勢形態に戻る。
【０１２３】
移動機構１６７０は、衣服１６００の表側に位置する、孔１６３６および１６３８を通ってシェル１６０２から外側に延在するアクチュエータ１６７１および１６７２を含む（図４９参照）。アクチュエータ１６７１および１６７２は、パネル１６４２に結合される。リトラクタ１６７３および１６７４の各々は、シェル１６００に一端部を結合され、端部１６７５および１６７６をそれぞれアクチュエータ１６７１および１６７２に結合される。ユーザがアクチュエータ１６７１および１６７２を下方向に引くと、リトラクタ１６７３および１６７４は伸長する。ユーザがアクチュエータを放すと、リトラクタ１６７３および１６７４は、シェル１６０２の内側におけるそれらの非付勢形態に戻る。
【０１２４】
移動機構１６８０は、孔１６３２および１６３４を通ってシェル１６０２から外側に延在するアクチュエータ１６８１および１６８２を含む（図４８参照）。アクチュエータ１６８１および１６８２は、パネル１６４２に結合される。リトラクタ１６８３および１６８４の各々は、シェル１６００に一端部を結合され、端部１６８５および１６８６をそれぞれアクチュエータ１６８１および１６８２に結合される。ユーザがアクチュエータ１６８１および１６８２を下方向に引くと、リトラクタ１６８３および１６８４は伸長する。ユーザがアクチュエータを放すと、リトラクタ１６８３および１６８４は、シェル１６０２の内側におけるそれらの非付勢形態に戻る。
【０１２５】
図４８に示すように、衣服１６００は、肩領域に配置された案内構造１６９０および１６９１を含む。案内構造１６９０および１６９１は、アクチュエータをユーザの肩にわたって方向付け、アクチュエータを、シェル１６０２に対して所望の位置に保つように摩擦接触を与える。
【０１２６】
案内構造の代替的実施形態が、図５０に示されている。この実施形態では、案内構造１６９１は、アクチュエータ１６６１および１６８１をそれぞれ受容するように構成された２対のスロット１６９４および１６９５を含む。また、案内構造１６９１は、袖１６０８に近接して配置された端部１６９７を含む。
【０１２７】
同様に、図５１に示す案内構造１６９０は、アクチュエータ１６６２および１６８２をそれぞれ受容するように構成された２対のスロット１６９２および１６９３を含む。また、案内構造１６９０は、袖１６０６に近接して配置された端部１６９６を含む。案内構造１６９０と比べて短縮された長さの案内構造１６９１は、例えば閉鎖機構１６２２を収容するように構成される。
【０１２８】
衣服の代替的実施形態が、図５２に示されている。この実施形態では、衣服１７００は、胴体領域１７０４と、袖１７０６および１７０８とを有するシェル１７０２を含む。衣服１７００は、外面１７１１と、内面１７１２（図５３参照）と、アクチュエータがそれを通って延在する孔１７３４および１７３６とを有する前側パネル１７１０を含む。アクチュエータは、自由端に結合された三角形の引き手１７３５を有することが可能である。
【０１２９】
衣服１７００は、当該衣服１７００の前側に配置された開口１７１２および１７１４を含む。開口１７１２および１７１４は、それぞれ通気性素材１７１６および１７１８を含有する。衣服１７００は、開口１７１２と１７１４との間に延在する閉鎖機構１７２０を含む。上側胴体領域における開口１７１２および１７１４の分割された配置構成により、前側の閉鎖機構の使用が容易になる。
【０１３０】
図５３を参照すると、衣服１７００は、２つの分割部分１７４２および１７４４を有するパネル層１７４０を含む。衣服１７００の説明を簡単にするために、前側パネルのみを説明する。衣服１７００の後側部分が、前述した開口のいずれかと同様の開口を含んでいてもまたは含んでいなくてもよいことを理解されたい。
【０１３１】
図５３は、裏返した衣服１７００の正面図である。図示するように、衣服１７００は、前側可動パネル１７４０および後側可動パネル（図示せず）を、それらの対応する開口に対して上方向または下方向に移動させるように操作可能な移動機構を含む。移動機構は、本明細書において前述したものと同様の構造を有する。
【０１３２】
調節機構の代替的実施形態が、図５４および図５５に示されている。調節機構１８００は、上側端部１８１２と、下側端部１８１４と、２つの側部１８１３および１８１５とを有するパネル１８１０を含む。パネル１８１０は４つの側部を有した状態で示されているが、代替的実施形態では、パネル１８１０は、任意の形状または構成を有し得る。
【０１３３】
この実施形態では、パネル１８１０は、図５５に示すようにプリーツ１８１８を形成するとともに本体１８１０の折り畳みを容易にする幾つかの折りじわまたは折り目１８１６を含む。パネル１８１０は、折り畳み可能であるように十分に可撓性である素材から構成される。
【０１３４】
パネル１８１０は、衣服の通気構造に近接して配置され得る。パネル１８１０は、通気構造に対して複数の形態で選択的に配置可能である。パネル１８１０は、第１の形態すなわち展開された形態１８０２（図５４参照）にあるときに、通過する空気流を低減するために通気構造と実質的に位置合わせされるように構成される。２つのアクチュエータ１８２０および１８３０が、上側端部１８１２に近接してパネル１８１０に結合される。ユーザがアクチュエータ１８２０および１８３０を矢印「Ｋ」の方向に沿って引くと、パネル１８１０は第２の形態１８０４（図５５参照）に折り畳まれ、該第２の形態では、パネル１８１０が衣服の通気構造を閉塞する度合いが低い。プリーツ１８１８によって、パネル１８１０を折り畳むことが可能になる。
【０１３５】
戻り機構（図示せず）を用いて、折り畳まれた形態１８０４から展開された形態１８０２へとパネル１８１０を移動させることができる。一例示的な戻り機構はアクチュエータである。別の例示的な戻り機構は、パネル１８１０をその展開された形態１８０２に移動させるように作動可能な、ばねなどの弾性部材である。該実施形態では、パネル１８１０が形態１８０２から形態１８０４に引き寄せられると、ばねが付勢され、後の解放に備えた状態になる。
【０１３６】
調節機構の代替的実施形態が、図５６および図５７に示されている。調節機構１９００は、上側端部１９１２と、下側端部１９１４と、２つの側部１９１３および１９１５とを有するパネル１９１０を含む。この実施形態では、パネル１９１０は、図５７に示すようにプリーツ１９１８を形成するとともに本体１９１０の折り畳みを容易にする幾つかの折りじわまたは折り目１９１６を含む。パネル１９１０は、布の膜などの、折り畳み可能であるように十分に可撓性である素材から構成される。
【０１３７】
パネル１９１０は、衣服の通気構造に近接して配置され得る。パネル１９１０は、第１の形態すなわち展開された形態１９０２（図５６参照）および第２の形態すなわち折り畳まれた形態１９０４（図５７参照）で選択的に配置可能である。アクチュエータ１９２０が、上側端部１９１２に近接してパネル１９１０に結合され、案内部１９３０の周りに配置される。ユーザがアクチュエータ１９２０を矢印「Ｌ」の方向に沿って引くと、パネル１９１０は、その展開された形態１９０２からその折り畳まれた形態１９０４へと移動する。戻り機構（図示せず）を用いて、形態１９０４から形態１９０２へとパネル１９１０を移動させることができる。
【０１３８】
調節機構の代替的実施形態が、図５８に示されている。調節機構２０００は、周縁部分２０１４と、取付部または枢着部２０１６とを有するパネル２０１０を含む。この実施形態では、パネル２０１０は、枢着部２０１６を中心として移動するように取り付けられ、折り畳まれない。アクチュエータ２０２０は、ユーザによるパネルの移動を容易にするために、パネル２０１０に結合される。
【０１３９】
第１の形態すなわち展開された形態または位置２００２では、パネル２０１０は、衣服の通気構造または開口を通る空気流を減少させるように配置される。ユーザがアクチュエータ２０２０を矢印「Ｍ」の方向に沿って引くと、パネル２０１０は、形態２００２から第２の形態すなわち閉塞されていない形態または位置２００４（仮想線で示す）へと回転する。形態２００４では、パネル２０１０は、衣服の開口からオフセットしているか、またはずれている。戻り機構（図示せず）を用いて、形態２００４から形態２００２へとアクチュエータを移動させることができる。ユーザは、衣服の開口の一部が閉塞される任意の中間位置または形態にパネル２０１０を移動させることができ、それによって、衣服に入る空気流を減少させる。
【０１４０】
シェルの代替的実施形態が、図５９に示されている。シェル２１００は、外側層２１１０および内側層２１２０を含む。外側層２１１０は、前述したものと同様の通気構造または開口（図示せず）を含む。内側層２１２０は、メッシュなどの通気性素材である。外側層２１１０および内側層２１２０は、シーム２１３０および２１３２に沿ったステッチまたはタック縫いによって一緒に結合される。シーム２１３０および２１３２は、連続していてもまたは断続的であってもよい。
【０１４１】
案内領域２１４０が、シーム２１３０と２１３２との間に形成される。案内領域２１４０は、可動パネル（図示せず）の差込みおよび移動が可能なチャネル２１４２を画定する。チャネル２１４２の形態は、所望の緻密度および摩擦に応じて変更可能である。パネルは案内領域２１４０に沿って摺動し、それによって摩擦が生じる。パネルと、外側層２１１０および内側層２１２０との間の摩擦は、外側層２１１０の開口に対して所定の位置にパネルを保つのに十分なものであり得る。例えば、高い摩擦を望む場合、案内領域２１４０の内側層２１２０の素材をぴんと張ってから外側層２１１０に結合する。
【０１４２】
代替的実施形態では、衣服は、シェルの後側部分の内面に配置されるポケットまたはポーチを含み得る。シェルの外側から手の届くジッパーのみを有するポケットが、下側部分に位置し得る。
【０１４３】
本発明を、その特定の実施形態を参照しながら詳細に説明してきたが、本発明の趣旨および範囲を逸脱せずにその種々の変形および変更をなしうることは当業者には明らかであろう。したがって、本発明は、添付の特許請求の範囲およびその均等物の範囲内にある限り本発明の変更および改変を包含するものとする。
【図面の簡単な説明】
【０１４４】
【図１】本発明による衣服の実施形態のブロック図である。
【図２】本発明による衣服の代替的実施形態のブロック図である。
【図３】本発明による衣服の代替的実施形態のブロック図である。
【図４】本発明による衣服の実施形態の正面図である。
【図５】図４に示した衣服の背面図である。
【図６】線「６−６」に沿った、図５に示した衣服の幾つかの構成要素の側面からの断面図である。
【図７】図４に示した衣服の幾つかの構成要素の部分の分解斜視図である。
【図８】第１の形態の図５の衣服の幾つかの構成成分の内部図である。
【図９】第２の形態の図５の衣服の幾つかの構成成分の内部図である。
【図１０】本発明による衣服の代替的実施形態の幾つかの構成要素の分解斜視図である。
【図１１】本発明による衣服の代替的実施形態の幾つかの構成要素の分解斜視図である。
【図１２】本発明による衣服の代替的実施形態の正面図である。
【図１３】第１の形態の図１２に示した衣服の背面図である。
【図１４】第２の形態の図１２に示した衣服の正面図である。
【図１５】図１４に示した衣服の背面図である。
【図１６】本発明による衣服の代替的実施形態の正面図である。
【図１７】図１６に示した衣服の背面図である。
【図１８】本発明による調節機構の実施形態の正面図である。
【図１９】図１８に示した調節機構の幾つかの構成要素の分解斜視図である。
【図２０】本発明による調節機構の代替的実施形態の正面図である。
【図２１】本発明による調節機構の代替的実施形態の正面図である。
【図２２】本発明による案内部の実施形態の斜視図である。
【図２３】本発明による衣服の代替的実施形態の正面図である。
【図２４】図２３に示した衣服の背面図である。
【図２５】本発明による袖の実施形態の正面図である。
【図２６】図２５に示した袖の背面図である。
【図２７】図２５に示した袖の分解図である。
【図２８】本発明による引き手の実施形態の斜視図である。
【図２９】図２８に示した引き手の正面図である。
【図３０】図２８に示した引き手の側面図である。
【図３１】図２８に示した引き手の底面図である。
【図３２】図２８に示した引き手の上面図である。
【図３３】第１の形態の調節機構の実施形態の概略図である。
【図３４】第２の形態の図３３に示した調節機構の概略図である。
【図３５】図３３に示した調節機構の幾つかの構成要素の部分図である。
【図３６】本発明による衣服の代替的実施形態の正面図である。
【図３７】線「３７−３７」に沿った、図３６に示した衣服の幾つかの構成要素の側面からの断面図である。
【図３８】図３６に示した衣服の幾つかの内部構成要素の部分断面図である。
【図３９】内部構成要素の幾つかを示す衣服の代替的実施形態の正面図である。
【図４０】本発明による衣服の代替的実施形態の正面図である。
【図４１】図４０に示した衣服の背面図である。
【図４２】裏返された図４０に示した衣服の正面図である。
【図４３】裏返された図４０に示した衣服の背面図である。
【図４４】後部内側層を取り外した状態の、図４３に示した衣服の背面図である。
【図４５】図４０に示した衣服の案内構造の平面図である。
【図４６】本発明による衣服の代替的実施形態の正面図である。
【図４７】裏返された図４６に示した衣服の正面図である。
【図４８】前部内側層を取り外した状態の、図４７に示した衣服の正面図である。
【図４９】後部内側層を取り外した状態の、裏返された図４６に示した衣服の背面図である。
【図５０】図４６に示した衣服の案内構造の平面図である。
【図５１】図４６に示した別の案内構造の平面図である。
【図５２】本発明による衣服の代替的実施形態の正面図である。
【図５３】前部内側層を取り外した状態の、裏返された図５２に示した衣服の正面図である。
【図５４】第１の形態の、本発明による調節機構の代替的実施形態の正面図である。
【図５５】第２の形態の、図５４に示した調節機構の正面図である。
【図５６】第１の形態の、本発明による調節機構の代替的実施形態の正面図である。
【図５７】第２の形態の、図５６に示した調節機構の正面図である。
【図５８】複数の形態の、本発明による調節機構の代替的実施形態の正面図である。
【図５９】本発明によるシェルの代替的実施形態の幾つかの構成要素の正面内部図である。
【図１】
2008511767.tif 000003
【図２】
2008511767.tif 000004
【図３】
2008511767.tif 000005
【図４】
2008511767.tif 000006
【図５】
2008511767.tif 000007
【図６】
2008511767.tif 000008
【図７】
2008511767.tif 000009
【図８】
2008511767.tif 000010
【図９】
2008511767.tif 000011
【図１０】
2008511767.tif 000012
【図１１】
2008511767.tif 000013
【図１２】
2008511767.tif 000014
【図１３】
2008511767.tif 000015
【図１４】
2008511767.tif 000016
【図１５】
2008511767.tif 000017
【図１６】
2008511767.tif 000018
【図１７】
2008511767.tif 000019
【図１８】
2008511767.tif 000020
【図１９】
2008511767.tif 000021
【図２０】
2008511767.tif 000022
【図２１】
2008511767.tif 000023
【図２２】
2008511767.tif 000024
【図２３】
2008511767.tif 000025
【図２４】
2008511767.tif 000026
【図２５】
2008511767.tif 000027
【図２６】
2008511767.tif 000028
【図２７】
2008511767.tif 000029
【図２８】
2008511767.tif 000030
【図２９】
2008511767.tif 000031
【図３０】
2008511767.tif 000032
【図３１】
2008511767.tif 000033
【図３２】
2008511767.tif 000034
【図３３】
2008511767.tif 000035
【図３４】
2008511767.tif 000036
【図３５】
2008511767.tif 000037
【図３６】
2008511767.tif 000038
【図３７】
2008511767.tif 000039
【図３８】
2008511767.tif 000040
【図３９】
2008511767.tif 000041
【図４０】
2008511767.tif 000042
【図４１】
2008511767.tif 000043
【図４２】
2008511767.tif 000044
【図４３】
2008511767.tif 000045
【図４４】
2008511767.tif 000046
【図４５】
2008511767.tif 000047
【図４６】
2008511767.tif 000048
【図４７】
2008511767.tif 000049
【図４８】
2008511767.tif 000050
【図４９】
2008511767.tif 000051
【図５０】
2008511767.tif 000052
【図５１】
2008511767.tif 000053
【図５２】
2008511767.tif 000054
【図５３】
2008511767.tif 000055
【図５４】
2008511767.tif 000056
【図５５】
2008511767.tif 000057
【図５６】
2008511767.tif 000058
【図５７】
2008511767.tif 000059
【図５８】
2008511767.tif 000060
【図５９】
2008511767.tif 000061
【国際調査報告】
2008511767.tif 000062